(57)【要約】  自動弁は、弁座（５２）であって、弁座を貫通して延在する第１のガス流路（５８）を有する、弁座（５２）と、弁押え（５４）であって、弁押えを貫通して延在する第２のガス流路（６１）を有する、弁押えとを備える。弁は、弁押えと弁座との間で移動可能に配置された少なくとも１つのシャッタ部材（６０）をさらに備える。シャッタ部材は、弁座（５２）と密閉係合状態の閉鎖位置に向かってばね部材（６２）のセットによって付勢されて、第１のガス流路（５８）を閉鎖する。複数のばね保持座（６６）を有するばねホルダリング（６８）もまた設けられる。各ばね部材は、弁押え（５４）内で形成され、それぞれのばね保持座（６６）内に保持されるそれぞれのばねポケット（６４）内に部分的に収容される。【選択図】図３
2015510994.tif 000002
【特許請求の範囲】
【請求項１】
自動弁であって、
第１のガス流路が貫通して延在する弁座と、
第２のガス流路が貫通して延在する弁押えと、
前記弁押えと前記弁座との間で移動可能に配置された少なくとも１つのシャッタ部材と、
ばね部材の少なくとも１つのセットであって、前記弁座と密閉係合状態の閉鎖位置に向かって前記少なくとも１つのシャッタ部材を付勢して、前記第１のガス流路を閉鎖する、ばね部材の少なくとも１つのセットと、
複数のばね保持座を備える少なくとも１つのばねホルダリングとを備え、ばね部材の前記セットの各ばね部材は、前記弁押え内で形成され、それぞれのばね保持座内に保持されるそれぞれのばねポケット内に部分的に収容される弁。
【請求項２】
前記少なくとも１つのばねホルダリングは、前記弁座に面し、前記少なくとも１つのシャッタ部材に接触する表面を備える請求項１記載の弁。
【請求項３】
２次ばね部材は、前記少なくとも１つのばねホルダリングと前記少なくとも１つのシャッタ部材との間に配置される請求項１または請求項２記載の弁。
【請求項４】
各ばねホルダリングは、前記弁押え内に設けられたそれぞれの環状スロット内で摺動可能に係合する請求項１または２または３記載の弁。
【請求項５】
複数の前記ばねホルダリングおよびばね部材の複数のセットを備え、ばね部材の各セットのばね部材は、前記複数のばねホルダリングの対応するばねホルダリングのばね保持座内に部分的に配置される請求項１乃至４の１つまたは複数の項記載の弁。
【請求項６】
前記少なくとも１つのシャッタ部材はシャッタプレートからなる請求項１乃至５の１つまたは複数の項記載の弁。
【請求項７】
複数のシャッタ部材を備え、各シャッタ部材はシャッタリングを備え、各シャッタリングは、前記複数のばねホルダリングの対応するばねホルダリングと結合される請求項１乃至６の１つまたは複数の項記載の弁。
【請求項８】
前記ばね部材は圧縮コイルばねである請求項１乃至７の１つまたは複数の項記載の弁。
【請求項９】
各ばね部材は、第１の端部および第２の端部を有し、前記第１の端部は、前記ばねポケットの対応するばねポケット内に収容され、前記第２の端部は、前記それぞれのばねホルダリングの前記ばね保持座の対応するばね保持座内に保持される請求項１乃至８の１つまたは複数の項記載の弁。
【請求項１０】
各ばねホルダリングは複数の２次ばね保持座を備え、２次ばね部材は、それぞれの前記２次ばね保持座内に配置され、前記少なくとも１つのシャッタ部材に弾性的に接触する請求項１乃至９の１つまたは複数の項記載の弁。
【請求項１１】
それぞれの前記ばねホルダリングは衝撃減少材料で作られる請求項１乃至１０の１つまたは複数の項記載の弁。
【請求項１２】
それぞれの前記ばねホルダリングは複合材料で作られる請求項１乃至１１の１つまたは複数の項記載の弁。
【請求項１３】
前記ばねホルダリングは強化熱可塑性材料で作られる請求項１乃至１２の１つまたは複数の項記載の弁。
【請求項１４】
前記熱可塑性材料は、ガラス繊維、炭素繊維、アラミド繊維、またはその組合せからなる群から選択される繊維によって強化される請求項１乃至１３の１つまたは複数の項記載の弁。
【請求項１５】
自動弁であって、
第１のガス流路が貫通して延在する弁座と、
第２のガス流路が貫通して延在する弁押えと、
前記弁押えと前記弁座との間に配置された複数のシャッタリングと、
各シャッタリングについて、ばね部材のセットであって、前記弁座と密閉係合状態の閉鎖位置に向かって前記それぞれのシャッタリングを付勢して、前記第１のガス流路を閉鎖する、ばね部材のセットと、
各シャッタリングについて、複数のばね保持座を備える対応するばねホルダリングとを備え、ばね部材の前記それぞれのセットの各ばね部材は、前記弁押え内で形成され、前記ばねホルダリングのそれぞれのばね保持座内に保持されるそれぞれのばねポケット内に部分的に配置される弁。
【請求項１６】
各ばねホルダリングは複数の２次ばね保持座を備え、２次ばね部材は、それぞれの前記２次ばね保持座内に配置され、前記対応するシャッタリングに弾性的に接触する請求項１５記載の弁。
【請求項１７】
前記ばねホルダリングは互いに独立に移動可能である請求項１５または１６記載の弁。
【請求項１８】
請求項１乃至１６の１つまたは複数の項記載の少なくとも１つの弁を備える往復圧縮機。
【発明の詳細な説明】
【技術分野】
【０００１】
本開示は、リング弁などの自動弁に関する。本明細書で開示される主題のいくつかの実施形態は、特に、往復圧縮機用の自動リング弁に関する。さらなる態様によれば、本開示は往復圧縮機に関する。
【背景技術】
【０００２】
自動弁は、たとえば往復圧縮機において一般に使用される。自動弁は、圧縮機の吸引側ならびに放出側の両方に配置されて、圧縮機シリンダ内部の圧力制御下で圧縮機の吸引ポートおよび放出ポートを自動的に開閉する。
【０００３】
従来技術の自動リング弁の例示的な実施形態が図１に示される。自動リング弁１は、弁座２および弁押え３を備える。弁座は、弁座２を貫通して延在する、円周方向に配置されたガス流路４を備える。弁押え３は、次にガス流路５を備える。中央ねじ６は、弁座２および弁押え３を互いに接続し、両者の間に空間７を残す。複数の同心的に配置されたシャッタリング８は、弁座２と弁押え３との間に設けられる。各シャッタリング８は、弁座２の対応する環状に配置されたガス流路４のセットに沿って配置される。複数の圧縮ばね９は、シャッタリング８を閉鎖位置に付勢するために各シャッタリング８のために設けられ、シャッタリング８は、ガス流路４の対応する密閉表面４Ａに密閉接触することによってガス流路４のそれぞれのセットを閉鎖する。圧縮ばね９は、弁押え３内に設けられるそれぞれのばねポケット１０内に収容される。
【０００４】
弁１の前後の差圧は、弁の自動開閉を引起す。図２は、圧縮機の吸引ポートおよび放出ポート上に配置され、１Ａ、１Ｂ、１Ｃ、１Ｄと表示される４つの自動リング弁１を使用する往復圧縮機のヘッド１１を示す。
【０００５】
より詳細には、圧縮機ヘッド１１は、圧縮機シリンダ１３を画定し、ピストン１４は往復式に移動可能である。ピストン１４のロッド１５は、２重矢印ｆ１４に従ってピストン１４を往復式に移動させるクランク（図示せず）に接続される。ピストン１４は、シリンダ１３を、２つの別個の圧縮チャンバ１３Ａ、１３Ｂに分割する。
【０００６】
圧縮機ヘッド１１は、第１の自動リング弁１Ａを通して第１の圧縮チャンバ１３Ａと流体連通状態の第１の吸引ポート１７を備える。第２の吸引ポート１９は、第２の自動リング弁１Ｂを通して第２の圧縮チャンバ１３Ｂと流体連通状態にある。第１の放出ポート２１は、第３の自動リング弁１Ｃを通して第１の圧縮チャンバ１３Ａと流体連通状態にあり、第２の放出ポート２３は、第４の自動リング弁１Ｄを通して第２の圧縮チャンバ１３Ｂと流体連通状態にある。
【０００７】
ピストン１４の往復運動は、第１の圧縮チャンバ１３Ａ内へのガスの吸引および第２の圧縮チャンバ１３Ｂからの圧縮ガスの放出を選択的に引起す、また、その逆も同様である。自動リング弁１Ａ、１Ｂ、１Ｃ、および１Ｄは、第１のガス流路４内の圧力がばね９の弾性力を超えると、選択的に開口する。
【０００８】
往復圧縮機のクランクシャフトは、たとえば１００〜１２００ｒｐｍ、通常、２００と１０００ｒｐｍとの間の範囲の回転速度で回転しうる。したがって、シャッタリング８は、高速の開口および閉鎖の繰返しストロークを受ける。シャッタリング８は、その質量、したがって慣性を減少させるために、繊維強化合成樹脂などの複合材料で一般に作られる。弁座２および弁押え３は、通常、金属で作られる。
【０００９】
往復圧縮機用の自動弁などの自動弁が開示され、弁のシャッタ部材に作用する圧縮ばね部材が、ばね部材とシャッタ部材との間に挿入されるばねホルダリングによって接続されて、ばね部材の誘導およびシャッタ部材に対するより均一な付勢作用を提供する。
【先行技術文献】
【特許文献】
【００１０】
【特許文献１】独国特許第７４７９８７号公報
【発明の概要】
【００１１】
いくつかの実施形態によれば、自動弁が提供され、自動弁は、第１のガス流路が貫通して延在する弁座と、第２のガス流路が貫通して延在する弁押えと、前記弁押えと前記弁座との間で移動可能に配置された少なくとも１つのシャッタ部材と、ばね部材の少なくとも１つのセットであって、前記弁座と密閉係合状態の閉鎖位置に向かって前記少なくとも１つのシャッタ部材を付勢して、前記第１のガス流路を閉鎖する、ばね部材の少なくとも１つのセットと、複数のばね保持座を備える少なくとも１つのばねホルダリングとを組合せて備える。ばねホルダリングは、有利には、弁押えとシャッタ部材との間に配置される。ばね部材の前記セットの各ばね部材は、前記弁押え内で形成され、前記ばね保持座のそれぞれのばね保持座内に保持されるそれぞれのばねポケット内に部分的に収容される。
【００１２】
いくつかの実施形態では、シャッタ部材は複数のリングシャッタからなる。それぞれのばねホルダリングは、各シャッタリングと組合され、同じリングシャッタに作用するばね部材を保持する。
【００１３】
いくつかの実施形態では、ばねホルダリングは、前記少なくとも１つのシャッタ部材に接触する弁座に面する表面を備える。
【００１４】
いくつかの実施形態では、ばね部材の１つのセットだけが、各シャッタ部材または各シャッタリングのために設けられる。他の実施形態では、ばねホルダリングとそれぞれのシャッタ部材との間に配置される２次ばね部材がさらに設けられうる。こうした配置構成では、シャッタ部材またはシャッタリングは、直列に配置されたばね部材の２つのセットによって付勢される。
【００１５】
一実施形態では、ばねホルダリングは、弁押え内に設けられるそれぞれの環状スロット内に摺動可能に係合される。
【００１６】
弁は、複数のばねホルダリングおよびばね部材の複数のセットからなることができ、ばね部材の各セットのばね部材は、前記複数のばねホルダリングの対応するばねホルダリングのばね保持座内に部分的に配置される。各ばねホルダリングは、対応するシャッタリングと同時に作用することができる。
【００１７】
シャッタ部材は、シャッタプレートまたは複数のシャッタプレートからなることができる。いくつかの実施形態では、シャッタ部材は、複数の同心的に配置されたシャッタリングを備える。シャッタリングは、たとえば可撓性接続部材によって互いに接続されうる、または、機械的に互いに独立でありうる。
【００１８】
ばね部材は圧縮コイルばねであるとすることができる。各ばね部材は、第１の端部および第２の端部を有し、第１の端部は、前記ばねポケットの対応するばねポケット内に収容され、第２の端部は、それぞれのばねホルダリングの前記ばね保持座の対応するばね保持座内に保持される。
【００１９】
いくつかの実施形態では、各ばねホルダリングは複数の２次ばね保持座を備える。２次ばね部材は、それぞれの前記２次ばね保持座内に配置され、前記少なくとも１つのシャッタ部材に弾性的に接触することができる。
【００２０】
有利には、ばねホルダリングは衝撃減少材料で作られることができる。たとえば、前記ばねホルダリングは複合材料で作られうる。いくつかの実施形態では、ばねホルダリングは強化熱可塑性材料で作られる。熱可塑性材料は、ガラス繊維、炭素繊維、アラミド繊維、またはその組合せからなる群から選択される繊維によって強化されることができる。
【００２１】
さらなる態様によれば、本開示は、自動弁に言及し、自動弁は、第１のガス流路が貫通して延在する弁座と、第２のガス流路が貫通して延在する弁押えと、前記弁押えと前記弁座との間に配置された複数のシャッタリングと、各シャッタリングについて、ばね部材のセットであって、前記弁座と密閉係合状態の閉鎖位置に向かってそれぞれのシャッタリングを付勢して、前記第１のガス流路を閉鎖する、ばね部材のセットと、各シャッタリングについて、複数のばね保持座を備える対応するばねホルダリングとを備え、ばね部材のそれぞれのセットの各ばね部材は、前記弁押え内で形成され、前記ばねホルダリングのそれぞれのばね保持座内に保持されるそれぞれのばねポケット内に部分的に配置される。
【００２２】
特徴および実施形態は、以下の本明細書で開示され、本説明の一体部分を形成する添付特許請求の範囲においてさらに述べられる。上記簡潔な説明は、以下に続く詳細な説明がよりよく理解されることができるように、また、当技術分野に対する本発明の寄与がよりよく理解されることができるように本発明の種々の実施形態の特徴を述べる。もちろん、以降で述べられ、また、添付特許請求の範囲で述べられることになる本発明の他の特徴が存在する。この点に関して、本発明のいくつかの実施形態を詳細に説明する前に、本発明の種々の実施形態が、その用途において、構造の詳細および以下の説明に述べられまたは図面に示されるコンポーネントの配置構成に限定されないことが理解される。本発明は、他の実施形態が可能であり、種々の方法で実践され実施されることが可能である。同様に、本明細書において使用されるフレーズおよび用語が、説明のためのものであり、制限的であるとみなされるべきでないことが理解される。
【００２３】
したがって、本開示がそれに基づく概念が、本発明のいくつかの目的を実施するための他の構造、方法、および／またはシステムを設計するための基礎として容易に利用されることができることを当業者は認識するであろう。したがって、こうした等価な構造が本発明の精神および範囲から逸脱しない限り、特許請求項がこうした等価な構造を含むものとみなされることが重要である。
【００２４】
本発明の開示される実施形態および本発明の付随する利点の多くのより完全な認識が容易に得られることになる。その理由は、こうした認識が、添付図面に関連して考えられると、以下の詳細な説明を参照してよりよく理解されるからである。
【図面の簡単な説明】
【００２５】
【図１】従来技術の自動リング弁の縦平面による縦断面図である。
【図２】自動リング弁を使用する往復圧縮機のヘッドの縦断面図である。
【図３】本明細書で開示される主題によるリング弁の斜視断面図である。
【図３Ａ】図３の詳細ＩＩＩＡの拡大図である。
【図４】図３のリング弁の軸平面による断面を示す。
【図５】図４の拡大図である。
【図６】図３〜図５のリング弁の分解図である。
【図７】図３〜図６の弁のばねホルダリングの斜視および断面図である。
【図８】リング弁のさらなる実施形態の断面図である。
【図９】図８の拡大図である。
【図１０】図８および図９の弁のばねホルダリングの斜視および断面図である。
【図１１】リング弁のさらなる実施形態の断面図である。
【図１２】図１１の拡大図である。
【図１３】図１１および図１２の弁のばねホルダリングの斜視および断面図である。
【発明を実施するための形態】
【００２６】
例示的な実施形態の以下の詳細な説明は添付図面を参照する。異なる図面内の同じ参照数字は、同じまたは同様な要素を特定する。さらに、図面は、必ずしも一定比例尺に従って描かれない。同様に、以下の詳細な説明は本発明を制限しない。代わりに、本発明の範囲は添付特許請求の範囲によって規定される。
【００２７】
「一実施形態（one embodiment）」または「ある実施形態（an embodiment）」または「いくつかの実施形態（some embodiments）」に対する本明細書全体を通した参照は、ある実施形態に関連して述べる特定の特徴、構造、または特性が、開示される主題の少なくとも１つの実施形態に含まれることを意味する。そのため、本明細書全体を通した種々の場所でのフレーズ「一実施形態において（in one embodiment）」または「ある実施形態において（in an embodiment）」または「いくつかの実施形態において（in some embodiments）」の出現は、必ずしも同じ実施形態（複数可）を参照しない。さらに、特定の特徴、構造、または特性は、１つまたは複数の実施形態において任意の適した方法で組合されることができる。
【００２８】
以下でより詳細に述べられ図面において示される実施形態は、自動リング弁、すなわち、複数の同心的に配置されたシャッタリングを備える自動弁を具体的に参照する。図示しない他の実施形態では、単一シャッタ部材を形成するために互いに拘束される１つまたは複数のコンポーネントで作られるシャッタプレートが、同心的に配置されるシャッタリングの代わりに設けられうる。
【００２９】
図３〜図７は、本明細書で開示される主題による自動リング弁の例示的な実施形態を示す。自動リング弁は全体的に５０で示される。弁５０は、弁座５２および弁押え５４を備える。弁座５２および弁押え５４は、ねじ配置構成５６によって互いに接続される。以下でより詳細に述べるように、移動可能シャッタリングが配置される空間が弁座５２と弁押え５４との間に残される。
【００３０】
弁座５２は、第１のガス流路５８のセットを備える。いくつかの実施形態では、ガス流路５８は、細長い湾曲した穴またはアパーチャの形状を有する。いくつかの実施形態では、ガス流路５８は、同心的に配設された円周に沿って配置される。他の実施形態では、ガス流路５８は、細長いのではなく、円形断面を有しうる。円周方向に配置されるガス流路５８の各セットは、前記移動可能シャッタリングのそれぞれのシャッタリングによって密閉閉鎖される。
【００３１】
図面で示す実施形態では、シャッタリング６０のセットは、弁座５２と弁押え５４との間に配置される。いくつかの実施形態では、シャッタリング６０は、他のシャッタリングから独立したシャッタリングである。すなわち、シャッタリング６０は、互いに拘束されない。他の実施形態では、シャッタリング６０は、拘束部材によって互いに拘束されて、内部に貫通アパーチャを有する単一ユニットを形成することができ、ガスが貫通アパーチャを流れることを可能にする。いくつかの実施形態では、シャッタリング６０は、互いに接続されることができ、弁板の形態の単一移動可能シャッタ部材を形成する。そのため、弁板は、前記弁板の一方の面上にリング突出部を備えることになり、弁板は、次に、弁板を通るガスの通過を可能にするなどのためにアパーチャ形成されることになる。
【００３２】
図面において、同じ円周に沿って配置されるガス流路５８の各セットは、前記同心的に配置されるシャッタリング６０のそれぞれのシャッタリング６０によって互いに同時に作用する密閉表面によって閉鎖される。
【００３３】
弁押え５４は、第２のガス流路６１のセットを備える。第１のガス流路５８と同様に、第２のガス流路６１も、同心的に延在する円周に沿って配置され、細長い湾曲したアパーチャまたは穴の形態でありうる。他の実施形態では、第２のガス流路６１は、細長い断面ではなく、円形断面を有しうる。第１のガス流路５８および第２のガス流路６１は、半径方向にオフセットするため、シャッタリング６０が開口位置にあるとき、ガスは弁５０を通って流れうる。
【００３４】
いくつかの例示的な実施形態では、各シャッタリング６０は、ばね部材のセットによって弁座５２に向かって弾性的に付勢される。ばね部材は、圧縮コイルばね６２を備えうる。各圧縮ばね６２は、弁押え５４内に設けられたそれぞれのばねポケット６４内に部分的に収容されうる。
【００３５】
各圧縮ばね６２は、第１の端部６２Ａおよび第２の端部６２Ｂを有する。第１の端部６２Ａは、対応するばねポケット６４内に完全に収容され、一方、第２の端部Ｂは、ばねホルダリング６８内に形成されたそれぞれの保持座６６内に収容される。図３〜図６に示す実施形態では、リング弁５０は、５つのシャッタリング６０からなり、シャッタリング６０のそれぞれは、圧縮ばね６２の対応するセットによって弾性的に付勢され、圧縮ばね６２はそれぞれ、それぞれのばねポケット６４内に収容される。各シャッタリング６０は、それぞれのばねホルダリング６８と結合され、ばねホルダリング６８は、対応するばね保持座６６内に圧縮ばね６２の端部６２Ｂを収容することによって圧縮ばね６２を保持する。
【００３６】
各ばねホルダリング６８は、弁押え５４内に機械加工されたそれぞれの環状スロット７０内に摺動可能に収容される。同じシャッタリング６０に作用するばね６２を収容するばねポケット６４は、対応する環状スロット７０内で開口し、その環状スロット７０内で、ばねホルダリング６８は摺動可能に配置される。
【００３７】
図３〜図６に示す実施形態では、各ばねホルダリング６８は、２次ばね保持座７２をさらに備え、２次ばね保持座７２は、ばね保持座６６が配置される表面と対向するばねホルダリング６８の平坦表面上に形成される。各ばねホルダリング６８の各２次ばね保持座７２は、それぞれの２次ばね部材７４を収容する。図１から図６に示す実施形態では、２次ばね部材７４は、圧縮ばね、より具体的には、圧縮ばね６２と同様であるが、寸法が小さい圧縮コイルばねによって形成される。
【００３８】
１つのばねホルダリング６８の２次ばね保持座７２内に配置された２次ばね部材７４は全て、それぞれのシャッタリング６０に作用する。したがって、各シャッタリング６０は、圧縮コイルばね６２のセットと圧縮コイルばね７４のセットの結合作用によって閉鎖位置（たとえば図４および図５参照）に向かって付勢される。第１のガス流路５８と第２のガス流路６１との間の圧力差によって各シャッタリング６０に加わる力が、圧縮ばね６２、７４によって生成される力を超えると、シャッタリング６０は開口し、ガスが弁を横切って流れることを可能にする。いくつかの実施形態では、圧縮ばね７４は、圧縮ばね６２より剛性が小さく、その結果、シャッタリング６０は、圧力差が圧縮ばね７４の付勢力を克服するのに十分になると、開口し始めることになる。
【００３９】
シャッタリング６０の開口および閉鎖移動中、圧縮ばね６２は、ばねホルダリング６０およびばねポケット６４によって誘導されホールドされる。２次ばね７４は、２次ばね保持座７２内で誘導される。ばね６２および７４の誘導は、弁の動作のスムーズさを増加させ、個々のばね６２によってシャッタリング６０に加えられる曲げ応力を防止する。同じシャッタリング６０に作用するばね６２が全て、１つでかつ同じばねホルダリング６８によって誘導されるため、シャッタリング６０に対するより均一な付勢作用が達成される。
【００４０】
圧縮ばね６２および７４の２つのセットの使用は、シャッタリング６０のよりスムーズな開口および閉鎖をもたらす。第１のガス流路５８内の圧力が、弁を自動的に開口させる値を超えて増加すると、より小さい２次ばね７４が、最初に圧縮され、シャッタリング６０は、弁座５２に面する対応するばねホルダリング６８の前面６８Ａに接触することになる。第１のガス流路５８内の圧力のさらなる増加は、圧縮ばね６２の圧縮、したがって、環状スロット７０に沿うばねホルダリング６８の摺動を引起すことになり、ついには、弁の完全な開口であって、ばねホルダリング６８がそれぞれの環状スロット７０内で内側ストロークを終了すると達成されることになる、弁の完全な開口がもたらされる。
【００４１】
いくつかの実施形態では、ばねホルダリング６８は、プラスチック材料などの制振材料で作られる。適した材料は、熱可塑性樹脂、好ましくは、強化熱可塑性樹脂でありうる。適した強化熱可塑性樹脂は、アラミド繊維（Ｋｅｖｌａｒ（登録商標））、炭素繊維、ガラス繊維、および同様なものなどの強化繊維を埋め込みうる。制振材料を使用することは、シャッタリング６０の開口移動によって引起される弁に対する機械的力学的応力を減少させるという利点を有する。その理由は、運動エネルギーが、ばねホルダリング６８の制振材料によって少なくとも部分的に吸収または消散されるからである。
【００４２】
圧縮ばね６２、７４の２重配置構成の使用は、同様にシャッタリング６０の閉鎖移動中に弁の挙動を改善する。ばねホルダリング６８の製造のために制振材料を使用することは、同様にシャッタリング６０の閉鎖移動中に弁に対する衝撃応力を減少させる。
【００４３】
図８、図９、および図１０は、本開示によるリング弁のさらなる実施形態を示す。同じ参照数字は、図１〜図７に示すのと同じかまたは同等の部品を指定するために使用される。
【００４４】
リング弁は、全体として６０で指定され、ばね配置構成５６によって互いに接続された、弁座５２および弁押え５４を備える。第１のガス流路５８は弁座５２内に設けられ、第２のガス流路６１は弁押え５４内に設けられる。弁座５２と弁押え５４との間の空間内に、シャッタリング６０が配置され、シャッタリング６０は、ガス流路５８を選択的に開口し閉鎖するために、２重矢印ｆ６０に従って移動可能である。
【００４５】
シャッタリング６０は、この実施形態では圧縮コイルばね６２の形態であるそれぞれのばね部材によって図８〜１０に示す閉鎖位置に維持される。各シャッタリング６０は、圧縮ばね６２の対応するセットによって付勢され、圧縮ばね６２は、対応するシャッタリング６０の環状伸長部に沿って均一に分布する。各圧縮ばね６２は、弁押え５４内に形成された対応するばねポケット６４内に少なくとも部分的に収容される。各圧縮ばね６２の第１の端部６２Ａは、ばねポケット６４の底部に当接する。各圧縮ばね６２の対向する端部６２Ｂは、ばねホルダリング６８内に形成された対応するばね保持座６６内に収容される。１つのばねホルダリング６８が、各シャッタリング６０について設けられるため、同じシャッタリング６０に作用する圧縮ばね６２は全て、同じばねホルダリング６８によって保持されホールドされる。ばねホルダリング６８は、弁押え５４内に形成された環状スロット７０内に摺動可能に収容される。同じシャッタリング６０に作用する圧縮ばね６２を収容するばねポケット６４は、対応するばねホルダリング６８が摺動可能に誘導される環状スロット７０内で開口する。
【００４６】
この実施形態では、各シャッタリング６０は、どんな２次ばねも挿入することなく、対応するばねホルダリング６８の表面に直接接触する。
【００４７】
同様に、この実施形態では、ばねホルダリング６８は、樹脂、強化樹脂、たとえば繊維強化樹脂、特に繊維強化熱可塑性樹脂などの制振材料で作られることができる。
【００４８】
弁５０の動作は、この実施形態では、図３〜図７に関して先に開示したものと実質的に同じである。しかし、この場合、弁の開口および閉鎖は、図３〜図７に関して先に開示したように２つのばねセットを直列に配置することによるのではなく、各シャッタリング６０用のばね６２の１つのセットによって制御されるだけである。
【００４９】
図８および図１０において特に見られるように、ばねホルダリング６８の外径は、ばねホルダリング６８の環状展開部全体に沿って一定である。
【００５０】
図１１〜図１３は、本明細書で開示する主題によるリング弁のさらなる実施形態を示す。図８〜図１０と同じ参照数字は、やはり詳細には述べられない弁の同じかまたは同等の要素を指定する。
【００５１】
図８〜図１０のリング弁と図１１〜図１３のリング弁との主要な差は、図１１〜図１３のリング弁では、ばねホルダリング６８が可変断面を有することである。各ばねホルダリング６８は、ばね保持座６６が配置されるエリアにおいてより大きな断面を有し、一方、図１３において６８Ａで示す連続する保持座６６の各対間に延在する部分はより狭い断面を有する。これは、圧縮ばねの径を減少させる必要なしで、ばねホルダリング６８の半径方向寸法を減少させることを可能にする。実際には、たとえば、図８と図１１の断面の左手部分を比較することによって認識されるように、図１１、図１２、および図１３の実施形態では、シャッタリング６０の開口および閉鎖移動中に各ばねホルダリング６８が誘導される環状スロット７０が、ばねホルダリング６８の環状展開部全体の周りに延びる実質的に連続するスロットであることが理解されるであろう。
【００５２】
図１１、図１２、および図１３の実施形態は、それぞれの環状スロット７０におけるばねホルダリング６８のよりよい誘導作用をもたらすことができる。
【００５３】
図１１〜図１３に示す可変断面を有するばねホルダリング６８が、直列接続の圧縮ばね６２、７４の２重のセットが各シャッタリング６０のために使用される図３〜図７の実施形態で同様に使用されうることが理解されるものとする。
【００５４】
本明細書で述べる主題の開示される実施形態は、図面において示され、いくつかの例示的な実施形態に関連して特殊性および詳細に関して完全に上述されたが、新規な教示、本明細書で述べる原理および概念、および添付特許請求の範囲に述べられる主題の利点から実質的に逸脱することなく、多くの修正、変更、および省略が可能であることが当業者に明らかになるであろう。したがって、開示される技術革新の適切な範囲は、全てのこうした修正、変更、および省略を包含するために添付特許請求の範囲の最も幅広い解釈によってだけ決定されるべきである。
【符号の説明】
【００５５】
５２  弁座
５４  弁押え
５８  第１のガス流路
６０  シャッタリング
６１  第２のガス流路
６８  圧縮コイルばね
６４  ばねポケット
６６  ばね保持座
６８  ばねホルダリング
【図１】
2015510994.tif 000003
【図２】
2015510994.tif 000004
【図３】
2015510994.tif 000005
【図３Ａ】
2015510994.tif 000006
【図４】
2015510994.tif 000007
【図５】
2015510994.tif 000008
【図６】
2015510994.tif 000009
【図７】
2015510994.tif 000010
【図８】
2015510994.tif 000011
【図９】
2015510994.tif 000012
【図１０】
2015510994.tif 000013
【図１１】
2015510994.tif 000014
【図１２】
2015510994.tif 000015
【図１３】
2015510994.tif 000016
【国際調査報告】
2015510994.tif 000017
2015510994.tif 000018
2015510994.tif 000019